(57)【要約】【課題】  サイズ選択画面において実際の出力結果のサイズを利用者に容易に想像させることができる画像形成システムおよびコピー制御プログラムを提供する。【解決手段】  スキャナーによって原稿から画像を読み取って、この画像をプリンターによって記録媒体に印刷するコピーの実行を制御する画像形成装置は、記録媒体のサイズを利用者に選択させるサイズ選択画面を表示部に表示する場合に（Ｓ９５）、原稿のサイズに対する記録媒体のサイズの比率を示す文字をサイズ選択画面に含める（Ｓ９４）ことを特徴とする。【選択図】  図４
2019083382.tif 000002
【特許請求の範囲】
【請求項１】
原稿から画像を読み取る読取デバイスと、
記録媒体に画像を印刷する印刷デバイスと、
情報を表示する表示デバイスと、
前記読取デバイスによって原稿から画像を読み取って、この画像を前記印刷デバイスによって記録媒体に印刷するコピーの実行を制御するコピー制御手段と
を備え、
前記コピー制御手段は、前記記録媒体のサイズを利用者に選択させるサイズ選択画面を前記表示デバイスに表示する場合に、前記原稿のサイズに対する前記記録媒体のサイズの比率を示す文字を前記サイズ選択画面に含めることを特徴とする画像形成システム。
【請求項２】
前記コピー制御手段は、前記記録媒体の面積を前記原稿の面積で割ることによって前記比率を算出することを特徴とする請求項１に記載の画像形成システム。
【請求項３】
前記原稿のサイズを検出する原稿サイズ検出デバイスを備え、
前記コピー制御手段は、前記原稿サイズ検出デバイスによって検出された前記原稿のサイズに基づいて前記比率を取得することを特徴とする請求項１または請求項２に記載の画像形成システム。
【請求項４】
原稿から画像を読み取る読取デバイスと、
記録媒体に画像を印刷する印刷デバイスと、
情報を表示する表示デバイスと
を備える画像形成装置に、
前記読取デバイスによって原稿から画像を読み取って、この画像を前記印刷デバイスによって記録媒体に印刷するコピーの実行を制御するコピー制御手段を実現させ、
前記コピー制御手段は、前記記録媒体のサイズを利用者に選択させるサイズ選択画面を前記表示デバイスに表示する場合に、前記原稿のサイズに対する前記記録媒体のサイズの比率を示す文字を前記サイズ選択画面に含めることを特徴とするコピー制御プログラム。
【発明の詳細な説明】
【技術分野】
【０００１】
本発明は、スキャナーによって原稿から画像を読み取って、この画像をプリンターによって記録媒体に印刷するコピーを実行する画像形成システムおよびコピー制御プログラムに関する。
【背景技術】
【０００２】
従来、スキャナーによって原稿から画像を読み取って、この画像をプリンターによって記録媒体に印刷するコピーを実行するディジタル複写機が知られている（例えば、特許文献１参照。）。
【先行技術文献】
【特許文献】
【０００３】
【特許文献１】特開２０００−３０７７８１号公報
【発明の概要】
【発明が解決しようとする課題】
【０００４】
しかしながら、特許文献１に記載されたディジタル複写機においては、スキャナーによって原稿から読み取った画像をプリンターによって印刷する記録媒体のサイズを利用者に選択させるサイズ選択画面において、記録媒体のサイズをＡ３、Ａ４、Ｂ４、Ｂ５といった規格名で利用者に選択させるので、規格名に馴染みが薄い利用者にとっては実際の出力結果のサイズを想像することが困難であるという問題がある。
【０００５】
また、従来、サイズ選択画面において、記録媒体のサイズをＡ３、Ａ４、Ｂ４、Ｂ５といった規格名とともに２９７ｍｍ×４２０ｍｍといった具体的な長さを示す数値で表すものも知られているが、具体的な長さを示す数値であっても、利用者にとっては数値から実際の長さを想像することが困難であるので、利用者にとっては実際の出力結果のサイズを想像することが困難であるという問題がある。
【０００６】
そこで、本発明は、サイズ選択画面において実際の出力結果のサイズを利用者に容易に想像させることができる画像形成システムおよびコピー制御プログラムを提供することを目的とする。
【課題を解決するための手段】
【０００７】
本発明の画像形成システムは、原稿から画像を読み取る読取デバイスと、記録媒体に画像を印刷する印刷デバイスと、情報を表示する表示デバイスと、前記読取デバイスによって原稿から画像を読み取って、この画像を前記印刷デバイスによって記録媒体に印刷するコピーの実行を制御するコピー制御手段とを備え、前記コピー制御手段は、前記記録媒体のサイズを利用者に選択させるサイズ選択画面を前記表示デバイスに表示する場合に、前記原稿のサイズに対する前記記録媒体のサイズの比率を示す文字を前記サイズ選択画面に含めることを特徴とする。
【０００８】
この構成により、本発明の画像形成システムは、利用者によって用意された原稿、すなわち、利用者に実際のサイズが認識されている原稿のサイズに対する、記録媒体のサイズの比率を示す文字をサイズ選択画面に含めるので、サイズ選択画面において実際の出力結果のサイズを利用者に容易に想像させることができる。
【０００９】
本発明の画像形成システムにおいて、前記コピー制御手段は、前記記録媒体の面積を前記原稿の面積で割ることによって前記比率を算出しても良い。
【００１０】
この構成により、本発明の画像形成システムは、記録媒体の面積を原稿の面積で割ることによって、原稿のサイズに対する記録媒体のサイズの比率を算出するので、任意の原稿のサイズに対応することができる。
【００１１】
本発明の画像形成システムは、前記原稿のサイズを検出する原稿サイズ検出デバイスを備え、前記コピー制御手段は、前記原稿サイズ検出デバイスによって検出された前記原稿のサイズに基づいて前記比率を取得しても良い。
【００１２】
この構成により、本発明の画像形成システムは、原稿のサイズが利用者によって入力されなくても、原稿サイズ検出デバイスによって検出された原稿のサイズに基づいて、原稿のサイズに対する記録媒体のサイズの比率を取得するので、利便性を向上することができる。
【００１３】
本発明のコピー制御プログラムは、原稿から画像を読み取る読取デバイスと、記録媒体に画像を印刷する印刷デバイスと、情報を表示する表示デバイスとを備える画像形成装置に、前記読取デバイスによって原稿から画像を読み取って、この画像を前記印刷デバイスによって記録媒体に印刷するコピーの実行を制御するコピー制御手段を実現させ、前記コピー制御手段は、前記記録媒体のサイズを利用者に選択させるサイズ選択画面を前記表示デバイスに表示する場合に、前記原稿のサイズに対する前記記録媒体のサイズの比率を示す文字を前記サイズ選択画面に含めることを特徴とする。
【００１４】
この構成により、本発明のコピー制御プログラムを実行する画像形成装置は、利用者によって用意された原稿、すなわち、利用者に実際のサイズが認識されている原稿のサイズに対する、記録媒体のサイズの比率を示す文字をサイズ選択画面に含めるので、サイズ選択画面において実際の出力結果のサイズを利用者に容易に想像させることができる。
【発明の効果】
【００１５】
本発明の画像形成システムおよびコピー制御プログラムは、サイズ選択画面において実際の出力結果のサイズを利用者に容易に想像させることができる。
【図面の簡単な説明】
【００１６】
【図１】ＭＦＰである場合の、本発明の第１の実施の形態に係る画像形成装置のブロック図である。
【図２】図１に示す基礎画面データによって示される基礎画面の一例を示す図である。
【図３】図１に示す要素データテーブルの一例を示す図である。
【図４】サイズ選択画面を表示する場合の、図１に示す画像形成装置の動作のフローチャートである。
【図５】原稿のサイズがＡ４サイズである場合の、図４に示す動作において表示されるサイズ選択画面の一例を示す図である。
【図６】ＭＦＰである場合の、本発明の第２の実施の形態に係る画像形成装置のブロック図である。
【図７】図６に示す基礎画面データによって示される基礎画面の一例を示す図である。
【図８】図６に示す要素データテーブルの一例を示す図である。
【図９】サイズ選択画面を表示する場合の、図６に示す画像形成装置の動作のフローチャートである。
【図１０】原稿のサイズがＡ４サイズである場合にＢ５サイズの記録媒体が選択されている状態での、図９に示す動作において表示されるサイズ選択画面の一例を示す図である。
【図１１】原稿のサイズがＡ４サイズである場合にＡ４サイズの記録媒体が選択されている状態での、図９に示す動作において表示されるサイズ選択画面の一例を示す図である。
【図１２】原稿のサイズがＡ４サイズである場合にＡ３サイズの記録媒体が選択されている状態での、図９に示す動作において表示されるサイズ選択画面の一例を示す図である。
【発明を実施するための形態】
【００１７】
以下、本発明の実施の形態について、図面を用いて説明する。
【００１８】
（第１の実施の形態）
まず、本発明の第１の実施の形態に係る画像形成システムとしての画像形成装置の構成について説明する。
【００１９】
本実施の形態に係る画像形成装置は、例えば、ＭＦＰ（Ｍｕｌｔｉｆｕｎｃｔｉｏｎ  Ｐｅｒｉｐｈｅｒａｌ）、コピー専用機である。
【００２０】
図１は、ＭＦＰである場合の、本実施の形態に係る画像形成装置１０のブロック図である。
【００２１】
図１に示す画像形成装置１０は、種々の操作が入力される例えばボタンなどの入力デバイスである操作部１１と、種々の情報を表示する例えばＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、スキャナー１４にセットされた原稿のサイズを検出する原稿サイズ検出デバイスとしての原稿サイズセンサー１５と、図示していない外部のファクシミリ装置と公衆電話回線などの通信回線経由でファックス通信を行うファックスデバイスであるファックス通信部１６と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部１８と、画像形成装置１０全体を制御する制御部１９とを備えている。
【００２２】
記憶部１８は、スキャナー１４によって原稿から画像を読み取って、この画像をプリンター１３によって記録媒体に印刷するコピーの実行を制御するためのコピー制御プログラム１８ａを記憶している。コピー制御プログラム１８ａは、例えば、画像形成装置１０の製造段階で画像形成装置１０にインストールされていても良いし、ＵＳＢ（Ｕｎｉｖｅｒｓａｌ  Ｓｅｒｉａｌ  Ｂｕｓ）メモリーなどの外部の記憶媒体から画像形成装置１０に追加でインストールされても良いし、ネットワーク上から画像形成装置１０に追加でインストールされても良い。
【００２３】
記憶部１８は、記録媒体のサイズ、すなわち、用紙サイズを利用者に選択させるサイズ選択画面の基礎となる基礎画面２０（図２参照。）を示す基礎画面データ１８ｂを記憶している。
【００２４】
図２は、基礎画面２０の一例を示す図である。
【００２５】
図２に示すように、基礎画面２０は、Ｂ５サイズの記録媒体が選択されるための領域２１と、Ａ４サイズの記録媒体が選択されるための領域２２と、Ｂ４サイズの記録媒体が選択されるための領域２３と、Ａ３サイズの記録媒体が選択されるための領域２４とを含んでいる。
【００２６】
図１に示すように、記憶部１８は、サイズ選択画面を構成する要素を定義する要素データテーブル３０を記憶している。
【００２７】
図３は、要素データテーブル３０の一例を示す図である。
【００２８】
図３に示す要素データテーブル３０において、各要素は、互いに異なる行に定義されている。要素には、原稿のサイズが関連付けられている。また、要素は、メッセージの内容と、サイズ選択画面の左上の頂点を原点（０，０）とした左右方向の位置であるＸ位置と、サイズ選択画面の左上の頂点を原点とした上下方向の位置であるＹ位置と、左右方向の長さを表す幅と、上下方向の長さを表す高さと、メッセージの文字の色を表す文字色とによって定義されている。Ｘ位置は、原点から右に行くほど値が大きくなり、各要素の左上の頂点の、サイズ選択画面における左右方向の位置を示している。Ｙ位置は、原点から下に行くほど値が大きくなり、各要素の左上の頂点の、サイズ選択画面における上下方向の位置を示している。図３には示していないが、要素は、文字の背景色、文字の書体、文字のサイズなどによっても定義されている。
【００２９】
図３においては示していないが、要素データテーブル３０には、原稿のサイズに対する記録媒体のサイズの比率を示す文字も、要素として含まれている。
【００３０】
図１に示す制御部１９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１８に記憶されているプログラムを実行する。
【００３１】
制御部１９は、コピー制御プログラム１８ａを実行することによって、コピーの実行を制御するコピー制御手段１９ａを実現する。
【００３２】
次に、サイズ選択画面を表示する場合の画像形成装置１０の動作について説明する。
【００３３】
図４は、サイズ選択画面を表示する場合の画像形成装置１０の動作のフローチャートである。
【００３４】
図４に示すように、コピー制御手段１９ａは、基礎画面データ１８ｂに基づいて基礎画面２０を生成する（Ｓ９１）。
【００３５】
次いで、コピー制御手段１９ａは、原稿サイズセンサー１５によって検出された、原稿のサイズを取得する（Ｓ９２）。
【００３６】
次いで、コピー制御手段１９ａは、Ｓ９２において取得した、原稿のサイズに関連付けられた要素を要素データテーブル３０において特定する（Ｓ９３）。
【００３７】
次いで、コピー制御手段１９ａは、Ｓ９３において特定した要素を、要素データテーブル３０における定義に従って、Ｓ９１において生成した基礎画面２０上に配置することによって、サイズ選択画面４０（図５参照。）を生成する（Ｓ９４）。
【００３８】
次いで、コピー制御手段１９ａは、Ｓ９４において生成したサイズ選択画面４０を表示部１２に表示して（Ｓ９５）、図４に示す動作を終了する。
【００３９】
図５は、原稿のサイズがＡ４サイズである場合のサイズ選択画面４０の一例を示す図である。
【００４０】
図５に示すサイズ選択画面４０は、領域２１の色が基礎画面２０における色と異なっている。すなわち、図５に示すサイズ選択画面４０は、Ｂ５サイズの記録媒体が選択されている状態を示している。
【００４１】
図５に示すサイズ選択画面４０において、要素４１〜４６が要素データテーブル３０における定義に従って基礎画面２０に配置された要素である。要素４１は、Ｂ５サイズの記録媒体が選択された場合に記録媒体のサイズが原稿のサイズより小さくなることを示すメッセージである。要素４２は、Ｂ５サイズの記録媒体が原稿の約０．７倍のサイズであることを示すメッセージである。要素４３は、Ａ４サイズの記録媒体が選択された場合に記録媒体のサイズが原稿のサイズと同じであることを示すメッセージである。要素４４は、Ｂ４サイズまたはＡ３サイズの記録媒体が選択された場合に記録媒体のサイズが原稿のサイズより大きくなることを示すメッセージである。要素４５は、Ｂ４サイズの記録媒体が原稿の約１．５倍のサイズであることを示すメッセージである。要素４６は、Ａ３サイズの記録媒体が原稿の２倍のサイズであることを示すメッセージである。
【００４２】
要素４２、要素４３、要素４５および要素４６は、原稿のサイズに対する記録媒体のサイズの比率を示す文字である。
【００４３】
以上に説明したように、画像形成装置１０は、利用者によって用意された原稿、すなわち、利用者に実際のサイズが認識されている原稿のサイズに対する、記録媒体のサイズの比率を示す文字をサイズ選択画面に含める（Ｓ９４）ので、サイズ選択画面において実際の出力結果のサイズを利用者に容易に想像させることができる。
【００４４】
画像形成装置１０は、サイズ選択画面において実際の出力結果のサイズを利用者に容易に想像させることができるので、利用者による記録媒体のサイズの決定のための必要な時間を短縮することができる。
【００４５】
画像形成装置１０は、サイズ選択画面において実際の出力結果のサイズを利用者に容易に想像させることができるので、利用者によって記録媒体のサイズが誤ったサイズに決定される可能性を低減することができ、その結果、コピーの失敗の発生を低減することができる。
【００４６】
画像形成装置１０は、原稿のサイズに対する記録媒体のサイズの比率を示す文字をサイズ選択画面に含めるので、原稿のサイズに対する記録媒体のサイズの比率を図形で示すスペースがサイズ選択画面上に確保することができない場合に特に有効である。
【００４７】
画像形成装置１０は、原稿のサイズが利用者によって入力されなくても、原稿サイズセンサー１５によって検出された原稿のサイズに基づいて、原稿のサイズに対する記録媒体のサイズの比率を取得するので、利便性を向上することができる。
【００４８】
（第２の実施の形態）
まず、本発明の第２の実施の形態に係る画像形成システムとしての画像形成装置の構成について説明する。
【００４９】
本実施の形態に係る画像形成装置は、例えば、ＭＦＰ、コピー専用機である。
【００５０】
図６は、ＭＦＰである場合の、本実施の形態に係る画像形成装置１１０のブロック図である。
【００５１】
図６に示す画像形成装置１１０の構成のうち、図１に示す画像形成装置１０の構成と同様の構成については、図１に示す画像形成装置１０の構成と同一の符号を付して詳細な説明を省略する。
【００５２】
図６に示す画像形成装置１１０の記憶部１８は、コピーの実行を制御するためのコピー制御プログラム１１８ａを記憶している。コピー制御プログラム１１８ａは、例えば、画像形成装置１１０の製造段階で画像形成装置１１０にインストールされていても良いし、ＵＳＢメモリーなどの外部の記憶媒体から画像形成装置１１０に追加でインストールされても良いし、ネットワーク上から画像形成装置１１０に追加でインストールされても良い。
【００５３】
記憶部１８は、記録媒体のサイズ、すなわち、用紙サイズを利用者に選択させるサイズ選択画面の基礎となる基礎画面１２０（図７参照。）を示す基礎画面データ１１８ｂを記憶している。
【００５４】
図７は、基礎画面１２０の一例を示す図である。
【００５５】
図７に示すように、基礎画面１２０は、Ｂ５サイズの記録媒体が選択されるための領域２１と、Ａ４サイズの記録媒体が選択されるための領域２２と、Ｂ４サイズの記録媒体が選択されるための領域２３と、Ａ３サイズの記録媒体が選択されるための領域２４とを含んでいる。
【００５６】
図６に示すように、記憶部１８は、サイズ選択画面を構成する要素を定義する要素データテーブル１３０を記憶している。
【００５７】
図８は、要素データテーブル１３０の一例を示す図である。
【００５８】
図８に示す要素データテーブル１３０において、各要素は、互いに異なる行に定義されている。要素には、要素の識別情報（以下「要素ＩＤ」という。）が関連付けられている。また、要素データテーブル１３０の要素は、要素データテーブル３０（図３参照。）の要素と同様に、メッセージの内容と、Ｘ位置と、Ｙ位置と、幅と、高さとによって定義されている。図８には示していないが、要素は、文字色、文字の背景色、文字の書体、文字のサイズなどによっても定義されている。
【００５９】
なお、図８において「メッセージの内容」に含まれる「％」という文字は、サイズ選択画面を表示する場合に他の文字に置き換えられる文字である。
【００６０】
図６に示す制御部１９は、コピー制御プログラム１１８ａを実行することによって、コピーの実行を制御するコピー制御手段１１９ａを実現する。
【００６１】
次に、サイズ選択画面を表示する場合の画像形成装置１１０の動作について説明する。
【００６２】
図９は、サイズ選択画面を表示する場合の画像形成装置１１０の動作のフローチャートである。
【００６３】
図９に示すように、コピー制御手段１１９ａは、基礎画面データ１１８ｂに基づいて基礎画面１２０を生成し（Ｓ１８１）、サイズ選択画面として表示部１２に表示する（Ｓ１８２）。
【００６４】
次いで、コピー制御手段１１９ａは、原稿サイズセンサー１５によって検出された、原稿のサイズを取得し（Ｓ１８３）、Ｓ１８３において取得した、原稿のサイズに基づいて原稿の面積を算出する（Ｓ１８４）。例えば、原稿がＡ４サイズである場合、原稿のサイズが２９７ｍｍ×２１０ｍｍであるので、原稿の面積は、６２３７０平方ミリメートルになる。
【００６５】
次いで、コピー制御手段１１９ａは、サイズ選択画面において記録媒体のサイズが選択されたと判断するまで、サイズ選択画面において記録媒体のサイズが選択されたか否かを判断する（Ｓ１８５）。
【００６６】
コピー制御手段１１９ａは、サイズ選択画面において記録媒体のサイズが選択されたとＳ１８５において判断すると、サイズ選択画面において選択された、記録媒体のサイズを取得し（Ｓ１８６）、Ｓ１８６において取得した、記録媒体のサイズに基づいて記録媒体の面積を算出する（Ｓ１８７）。
【００６７】
次いで、コピー制御手段１１９ａは、Ｓ１８７において算出した記録媒体の面積を、Ｓ１８４において算出した原稿の面積で割ることによって、原稿のサイズに対する記録媒体のサイズの比率を算出する（Ｓ１８８）。
【００６８】
コピー制御手段１１９ａは、Ｓ１８８において算出した比率が１未満、１および１超のいずれであるかを判断する（Ｓ１８９）。
【００６９】
コピー制御手段１１９ａは、Ｓ１８８において算出した比率が１未満であるとＳ１８９において判断すると、要素ＩＤがＭＳＧ００１である要素を要素データテーブル１３０において特定する（Ｓ１９０）。
【００７０】
コピー制御手段１１９ａは、Ｓ１８８において算出した比率が１超であるとＳ１８９において判断すると、要素ＩＤがＭＳＧ００３である要素を要素データテーブル１３０において特定する（Ｓ１９１）。
【００７１】
コピー制御手段１１９ａは、Ｓ１９０またはＳ１９１の処理の後、Ｓ１８８において算出した比率が小数第二位を有するか否かを判断する（Ｓ１９２）。
【００７２】
コピー制御手段１１９ａは、Ｓ１８８において算出した比率が小数第二位を有しないとＳ１９２において判断すると、Ｓ１９０またはＳ１９１において特定した要素のメッセージの内容に含まれる「％」という文字を、Ｓ１８８において算出した比率を示す数字に置き換えた状態で、Ｓ１９０またはＳ１９１において特定した要素を、要素データテーブル１３０における定義に従って、Ｓ１８１において生成した基礎画面１２０上に配置することによって、サイズ選択画面を生成する（Ｓ１９３）。
【００７３】
コピー制御手段１１９ａは、Ｓ１８８において算出した比率が小数第二位を有するとＳ１９２において判断すると、Ｓ１８８において算出した比率に対して小数第二位を四捨五入して（Ｓ１９４）、Ｓ１９４において得られた数字の前に「約」という文字を付す（Ｓ１９５）。
【００７４】
次いで、コピー制御手段１１９ａは、Ｓ１９０またはＳ１９１において特定した要素のメッセージの内容に含まれる「％」という文字を、Ｓ１９５において得られた文字列に置き換えた状態で、Ｓ１９０またはＳ１９１において特定した要素を、要素データテーブル１３０における定義に従って、Ｓ１８１において生成した基礎画面１２０上に配置することによって、サイズ選択画面を生成する（Ｓ１９６）。
【００７５】
コピー制御手段１１９ａは、Ｓ１８８において算出した比率が１であるとＳ１８９において判断すると、要素ＩＤがＭＳＧ００２である要素を要素データテーブル１３０において特定し（Ｓ１９７）、Ｓ１９７において特定した要素を、要素データテーブル１３０における定義に従って、Ｓ１８１において生成した基礎画面１２０上に配置することによって、サイズ選択画面を生成する（Ｓ１９８）。
【００７６】
コピー制御手段１１９ａは、Ｓ１９３、Ｓ１９６またはＳ１９８の処理の後、Ｓ１９３、Ｓ１９６またはＳ１９８において生成したサイズ選択画面を表示部１２に表示して（Ｓ１９９）、Ｓ１８５の処理を実行する。
【００７７】
図１０は、原稿のサイズがＡ４サイズである場合にＢ５サイズの記録媒体が選択されている状態でのサイズ選択画面１４０の一例を示す図である。
【００７８】
図１０に示すサイズ選択画面１４０は、領域２１の色が基礎画面１２０における色と異なっている。
【００７９】
図１０に示すサイズ選択画面１４０は、Ｓ１９６において生成されたサイズ選択画面である。
【００８０】
図１０に示すサイズ選択画面１４０において、要素１４１が要素データテーブル１３０における定義に従って基礎画面１２０に配置された要素である。要素１４１は、Ｂ５サイズの記録媒体が選択された場合に記録媒体のサイズが原稿のサイズより小さくなることと、Ｂ５サイズの記録媒体が原稿の約０．７倍のサイズであることとを示すメッセージである。要素１４１は、原稿のサイズに対する記録媒体のサイズの比率を示す文字である。
【００８１】
図１１は、原稿のサイズがＡ４サイズである場合にＡ４サイズの記録媒体が選択されている状態でのサイズ選択画面１４０の一例を示す図である。
【００８２】
図１１に示すサイズ選択画面１４０は、領域２２の色が基礎画面１２０における色と異なっている。
【００８３】
図１１に示すサイズ選択画面１４０は、Ｓ１９８において生成されたサイズ選択画面である。
【００８４】
図１１に示すサイズ選択画面１４０において、要素１４２が要素データテーブル１３０における定義に従って基礎画面１２０に配置された要素である。要素１４２は、Ａ４サイズの記録媒体が選択された場合に記録媒体のサイズが原稿のサイズと同じであることを示すメッセージである。要素１４２は、原稿のサイズに対する記録媒体のサイズの比率を示す文字である。
【００８５】
図１２は、原稿のサイズがＡ４サイズである場合にＡ３サイズの記録媒体が選択されている状態でのサイズ選択画面１４０の一例を示す図である。
【００８６】
図１２に示すサイズ選択画面１４０は、領域２４の色が基礎画面１２０における色と異なっている。
【００８７】
図１２に示すサイズ選択画面１４０は、Ｓ１９３において生成されたサイズ選択画面である。
【００８８】
図１２に示すサイズ選択画面１４０において、要素１４３が要素データテーブル１３０における定義に従って基礎画面１２０に配置された要素である。要素１４３は、Ａ３サイズの記録媒体が選択された場合に記録媒体のサイズが原稿のサイズより大きくなることと、Ａ３サイズの記録媒体が原稿の２倍のサイズであることとを示すメッセージである。要素１４３は、原稿のサイズに対する記録媒体のサイズの比率を示す文字である。
【００８９】
以上に説明したように、画像形成装置１１０は、利用者によって用意された原稿、すなわち、利用者に実際のサイズが認識されている原稿のサイズに対する、記録媒体のサイズの比率を示す文字をサイズ選択画面に含める（Ｓ１９３、Ｓ１９６およびＳ１９８）ので、サイズ選択画面において実際の出力結果のサイズを利用者に容易に想像させることができる。
【００９０】
画像形成装置１１０は、サイズ選択画面において実際の出力結果のサイズを利用者に容易に想像させることができるので、利用者による記録媒体のサイズの決定のための必要な時間を短縮することができる。
【００９１】
画像形成装置１１０は、サイズ選択画面において実際の出力結果のサイズを利用者に容易に想像させることができるので、利用者によって記録媒体のサイズが誤ったサイズに決定される可能性を低減することができ、その結果、コピーの失敗の発生を低減することができる。
【００９２】
画像形成装置１１０は、原稿のサイズに対する記録媒体のサイズの比率を示す文字をサイズ選択画面に含めるので、原稿のサイズに対する記録媒体のサイズの比率を図形で示すスペースがサイズ選択画面上に確保することができない場合に特に有効である。
【００９３】
画像形成装置１１０は、原稿のサイズが利用者によって入力されなくても、原稿サイズセンサー１５によって検出された原稿のサイズに基づいて、原稿のサイズに対する記録媒体のサイズの比率を取得するので、利便性を向上することができる。
【００９４】
画像形成装置１１０は、記録媒体の面積を原稿の面積で割ることによって、原稿のサイズに対する記録媒体のサイズの比率を算出する（Ｓ１８８）ので、任意の原稿のサイズに対応することができる。
【００９５】
本発明の画像形成システムは、上述した各実施の形態において、画像形成装置によって構成されている。しかしながら、本発明の画像形成システムは、画像形成装置と、他の少なくとも１つの電子機器とによって構成されても良い。
【符号の説明】
【００９６】
１０  画像形成装置（画像形成システム）
１２  表示部（表示デバイス）
１３  プリンター（印刷デバイス）
１４  スキャナー（読取デバイス）
１５  原稿サイズセンサー（原稿サイズ検出デバイス）
１８ａ  コピー制御プログラム
１９ａ  コピー制御手段
４０  サイズ選択画面
１１０  画像形成装置（画像形成システム）
１１８ａ  コピー制御プログラム
１１９ａ  コピー制御手段
１４０  サイズ選択画面
【図１】
2019083382.tif 000003
【図２】
2019083382.tif 000004
【図３】
2019083382.tif 000005
【図４】
2019083382.tif 000006
【図５】
2019083382.tif 000007
【図６】
2019083382.tif 000008
【図７】
2019083382.tif 000009
【図８】
2019083382.tif 000010
【図９】
2019083382.tif 000011
【図１０】
2019083382.tif 000012
【図１１】
2019083382.tif 000013
【図１２】
2019083382.tif 000014